(57)【要約】【課題】端末装置を机等に置いた場合に、端末装置の表示内容の表示方向を自動的に回転する。【解決手段】ユーザにより装着される装着型の端末装置１００であって、当該端末装置１００の装着状態を検出する装着情報検出部２３ａによる検出結果と、当該端末装置１００の動きを検出する動き検出部２３ｂによる検出結果とに基づき、当該端末装置１００の回転を検出する回転検出部２３ｃにより検出された回転に応じて当該端末装置１００の表示内容を回転させる表示内容回転処理部２５ａと、を備えている。【選択図】図１
2020181600.tif 000002
【特許請求の範囲】
【請求項１】
ユーザにより装着される装着型の端末装置であって、
表示内容を表示する表示部と、
前記端末装置の装着状態を検出する装着情報検出部と、
前記装着情報検出部から得られた検出結果に基づいて、前記端末装置をユーザが装着しているか否かを判定する装着判定部と、
前記端末装置の動きを検出する動き検出部と、
前記動き検出部から得られた検出結果に基づいて、前記端末装置が所定時間以上静止しているか否かを判定する静止判定部と、
前記端末装置の回転を検出する回転検出部と、
前記表示部が表示する表示内容を回転させる表示内容回転処理部と、
を備え、
前記表示内容回転処理部は、
前記装着判定部により前記端末装置がユーザの腕に装着されておらず且つ前記静止判定部により前記端末装置が所定時間以上静止していると判定された場合に、前記回転検出部から検出された回転に応じて前記表示部に表示される表示内容を回転させ、
前記装着判定部により前記端末装置がユーザの腕に装着されていると判定された場合、又は、前記装着判定部により前記端末装置がユーザの腕に装着されておらず且つ前記静止判定部により前記端末装置が所定時間以上静止していると判定されなかった場合に、前記表示部に表示される表示内容を回転させない
ことを特徴とする端末装置。
【請求項２】
脈拍センサを備え、
前記装着情報検出部は、前記脈拍センサにより検出される脈拍数に基づいて、装着状態を検出することを特徴とする請求項１に記載の端末装置。
【請求項３】
前記回転検出部は、鉛直と逆の向きに対する前記端末装置の表示部の回転の向き及び回転角度を検出し、
前記表示内容回転処理部は、前記表示内容を、前記回転の向きとは逆の向きに前記回転角度分、回転させることを特徴とする請求項１又は２に記載の端末装置。
【請求項４】
前記表示部に表示される表示内容の回転を強制的に抑止する回転抑止部をさらに備えていることを特徴とする請求項１ないし３の何れかに記載の端末装置。
【請求項５】
表示内容を表示する表示部を備え、ユーザにより装着される装着型の端末装置における表示制御方法であって、
前記端末装置の装着状態を検出する装着情報検出処理と、
前記装着情報検出処理から得られた検出結果に基づいて、前記端末装置をユーザが装着しているか否かを判定する装着判定処理と、
前記端末装置の動きを検出する動き検出処理と、
前記動き検出処理から得られた検出結果に基づいて、前記端末装置が所定時間以上静止しているか否かを判定する静止判定処理と、
前記端末装置の回転を検出する回転検出処理と、
前記装着情報検出処理による検出結果に基づき、前記回転検出処理により検出された回転に応じて前記表示部が表示する表示内容を回転させる表示内容回転処理と、
を含み、
前記表示内容回転処理は、
前記装着判定処理により前記端末装置がユーザの腕に装着されておらず且つ前記静止判定処理により前記端末装置が所定時間以上静止していると判定された場合に、前記回転検
出処理から検出された回転に応じて前記表示部に表示される表示内容を回転させ、
前記装着判定処理により前記端末装置がユーザの腕に装着されていると判定された場合、又は、前記装着判定処理により前記端末装置がユーザの腕に装着されておらず且つ前記静止判定処理により前記端末装置が所定時間以上静止していると判定されなかった場合に、前記表示部に表示される表示内容を回転させない
ことを特徴とする表示制御方法。
【請求項６】
表示内容を表示する表示部を備え、ユーザにより装着される装着型の端末装置に用いられるコンピュータに、
前記端末装置の装着状態を検出する装着情報検出ステップと、
前記装着情報検出ステップから得られた検出結果に基づいて、前記端末装置をユーザが装着しているか否かを判定する装着判定ステップと、
前記端末装置の動きを検出する動き検出ステップと、
前記動き検出ステップから得られた検出結果に基づいて、前記端末装置が所定時間以上静止しているか否かを判定する静止判定ステップと、
前記端末装置の回転を検出する回転検出ステップと、
前記装着情報検出ステップによる検出結果に基づき、前記回転検出ステップにより検出された回転に応じて表示内容を回転させる表示内容回転処理ステップと、
を実行させ、
前記表示内容回転処理ステップは、
前記装着判定ステップにより前記端末装置がユーザの腕に装着されておらず且つ前記静止判定ステップにより前記端末装置が所定時間以上静止していると判定された場合に、前記回転検出ステップから検出された回転に応じて前記表示部に表示される表示内容を回転させ、
前記装着判定ステップにより前記端末装置がユーザの腕に装着されていると判定された場合、又は、前記装着判定ステップにより前記端末装置がユーザの腕に装着されておらず且つ前記静止判定ステップにより前記端末装置が所定時間以上静止していると判定されなかった場合に、前記表示部に表示される表示内容を回転させない
ことを特徴とするプログラム。
【発明の詳細な説明】
【技術分野】
【０００１】
本発明は、端末装置、表示制御方法及びプログラムに関する。
【背景技術】
【０００２】
従来、端末装置を回転させると端末装置に表示されている表示内容も端末の回転向きに
合わせて切替えて表示するものが知られている（例えば、特許文献１、２参照）。
【先行技術文献】
【特許文献】
【０００３】
【特許文献１】２００８−３０１１２２号公報
【特許文献２】２０１０−１０９７０７号公報
【発明の概要】
【発明が解決しようとする課題】
【０００４】
しかしながら、腕に装着するリスト型の端末装置である場合、腕の振り等によって表示内容が回転してしまい、ユーザが表示内容を認識しにくくなってしまう場合がある。また、表示内容を固定してしまうと当該端末装置を机等に置いた際にユーザから見ると表示内容９０度回転した状態となり、表示内容を認識しくいといった問題がある。
【０００５】
そこで、本発明の課題は、端末装置の装着状態を判断し、ユーザが見やすい向きに端末の表示内容の向きを制御することができる端末装置、表示制御方法及びプログラムを提供することである。
【課題を解決するための手段】
【０００６】
上記課題を解決するため、本発明にかかる端末装置は、ユーザにより装着される装着型の端末装置であって、表示内容を表示する表示部と、当該端末装置の装着状態を検出する装着情報検出部と、当該端末装置の回転を検出する回転検出部と、前記装着情報検出部による検出結果に基づき、前記回転検出部により検出された回転に応じて前記表示部が表示する表示内容を回転させる表示内容回転処理部と、を備えたことを特徴としている。
【発明の効果】
【０００７】
本発明によれば、端末装置が腕からはずされて机等に置かれた場合も、ユーザが見やすい方向で表示内容を表示画面に表示することができる。
【図面の簡単な説明】
【０００８】
【図１】本発明の端末装置の概略構成を示すブロック図である。
【図２】図１の端末装置の表示動作を示す図である。（ａ）はユーザが端末装置を腕に装着している状態を示し、（ｂ）は従来品の例を示し、（ｃ）は本発明の例を示している。
【図３】図１の端末装置による表示回転制御処理に係る動作の一例を示すフローチャートである。
【発明を実施するための形態】
【０００９】
以下に、本発明について、図面を用いて具体的な態様を説明する。ただし、発明の範囲は、図示例に限定されない。
【００１０】
図１は、本発明を適用した一実施携帯の端末装置１００の概略構成を示すブロック図である。
【００１１】
図１に示すように、本実施形態の端末装置１００は、操作入力部２１と、静止時間計測部２２と、検出部２３と、メモリ２４と、制御部２５と、表示部２６と、判定部２７を少なくとも備えている。
【００１２】
操作入力部２１は、ユーザによる操作入力操作により、端末装置１００に対して各種指
示を入力するためのものである。装置本体の電源のＯＮ／ＯＦＦや、モードや機能等の選択や決定など、各種機能に関するユーザ操作を行うものである。
なお、操作入力部２１は、表示部２６と一体となって設けられたタッチパネルを有していても良く、ユーザによるタッチパネルの所定操作に基づいて、当該所定操作に応じた操作指示を制御部２５に出力しても良い。
【００１３】
静止時間計測部２２は、初期値を０として、端末装置１００がユーザの腕からはずされ机等の上に置かれた状態（端末装置本体がユーザに装着されず、且つ静止している状態
）の時間を計測する。上記装着情報の検出後に、静止時間計測部２２によって得られた結果は、静止判定部２７ｃに出力する。
表示部２６は、時計や各種の操作画面等を制御部の制御の下、端末装置１００の表示パネル２６ａに表示するものである。表示パネル２６ａは、例えば、液晶表示パネルや有機
ＥＬ（Electro-Luminescence）表示パネル等を備えて構成されている。
【００１４】
検出部２３は、装着情報検出部２３ａと、動き検出部２３ｂと、回転検出部２３ｃとを具備している。
なお、検出部２３の各部は、例えば、所定の論理回路から構成されているが、当該構成は一例であってこれに限られるものではない。
【００１５】
装着情報検出部２３ａは、端末装置１００の装着情報を検出する。つまり、当該端末装置１００の装着状態を検出する。
具体的には、装着情報検出部２３ａは、脈拍センサ（図示略）を具備し、当該脈拍センサにより検出された脈拍数に基づいて、当該端末装置１００の装着情報を検出する。
なお、装着情報検出部２３ａは、ユーザの体温を検出する体温計等であっても良い。
【００１６】
動き検出部２３ｂは、端末装置１００自身の動き情報を検出する。つまり、当該端末装置１００本体の外部から加えられる力によって、端末装置１００自身動いているか否かを検出する。
具体的には、動き検出部２３ｂは振動センサを具備し、当該振動センサにより検出された振動の有無に応じて、動き判定部２７ｂが端末装置１００の静止状態の判定を行う。
なお、動き検出部２３ｂは、加速度センサ（図示略）や地磁気センサ（図示略）等を具備していても良い。
【００１７】
回転検出部２３ｃは、当該端末装置１００の回転向き及び回転角度を検出する。
具体的には、回転検出部２３ｃは、加速度センサ（図示略）を具備し、加速度センサから当該端末装置１００の回転向き及び回転角度を検出する。つまり、端末装置１００が右に９０度傾いているのか（図２の端末装置１００のＢ側が机２００の面に接している状態）、左に９０度傾いているのか（図２の端末装置１００のＡ側が机２００の面に接している状態）を検出する。加速度センサは３軸のセンサから構成されており、端末装置１００の回転向きや回転角度を検出する。なお、回転検出部２３ｃは、端末本体１００の回転向きの検出を常時行っても良いし、所定のタイミングで行っても良い。
検出された回転向きの情報は、メモリに出力されて、メモリ２４に一時的に保持されても良い。
【００１８】
なお、回転検出部は、ジャイロセンサ（図示略）、電子コンパス（図示略）、傾斜センサ（図示略）等を具備していても良い。
【００１９】
メモリ２４は、例えば、ＤＲＡＭ（Ｄｙｎａｍｉｃ  Ｒａｎｄｏｍ  Ａｃｃｅｓｓ  Ｍｅｍｏｒｙ）等により構成されている。また、メモリ２４は、端末装置１００の動作を制
御するプログラム（例えば、表示回転プログラムなど）を記憶したり、各種の設定値を記憶したりなどするものである。
【００２０】
制御部２５は、表示内容回転処理部２５ａを備え、装着情報検出部２３ａからの端末装置１００の装着情報、回転検出部２３ｃによって加速度センサからの端末装置１００の回転向き及び回転角度を検出した回転情報、回転向きに応じて、表示内容回転処理部２５ａにより、表示部２６に表示する表示内容の表示方向を回転する回転制御を行う。
【００２１】
すなわち、表示内容回転処理部２５ａは、例えば、端末装置１００が右方向に９０度回転した（図２（ａ）のＢ側を下にして置いた）場合は、表示内容の表示方向を左方向に９０度回転させる処理を行う。一方、端末装置１００が左方向に９０度回転した（図２（ｂ）のＡ側を下にして置いた）場合は、表示内容の表示方向を右方向に９０度回転させる処理を行う。したがって、端末装置１００の回転向きに応じて、表示内容の表示方向を適切な方向に自動的に切り替えることを可能としている。
【００２２】
判定部２７は、装着判定部２７ａと、動き判定部２７ｂと、静止判定部２７ｃとを具備している。
なお、判定部２７の各部は、例えば、所定の論理回路から構成されているが、当該構成は一例であってこれに限られるものではない。
【００２３】
装着判定部２７ａは端末装置１００が腕に装着されているか否かの判定を行い、動き判定部２７ｂは端末装置１００が動いているか否かの判定を行い、静止判定部２７ｃは端末装置１００の静止している時間が十分であるか否かの判定を行う。
すなわち、装着判定部は２７ａ、装着情報検出部２３ａから脈拍数が検出されているか否かの判定をし、動き判定部２７ｂは端末装置１００が動いているか否を判定し、静止判定部２７ｃは端末装置１００が静止している状態であると言えるための十分な時間が経過しているか否かの判定をする。
【００２４】
静止判定部２７ｃは、静止時間計測部２２によって計測した時間が、所定時間以上であるかどうかを判定する。所定時間以上であれば、端末装置１００が机２００の上に静止されていると判定される。
【００２５】
装着判定部２３ａにより端末装置１００を腕に装着していると判定された場合、動き判定部２７ｂにより端末装置１００が静止状態でないと判定された場合、または静止判定部２７ｃにより端末装置１００の静止状態が所定時間以上でないと判定された場合は、表示内容の表示の向きは回転せずに、表示される。
装着判定部２７ａ、動き判定部２７ｂ、静止判定部２７ｃは、例えば、所定時間間隔毎に当該判定処理を行い、その判定結果を制御部に出力する。
回転抑止部２８は、回転検出部２３ｃによって端末本体１００の回転向きが検出されたとしても、表示内容回転処理部２５ａの回転処理を起動させないようにする。ユーザが操作入力部２１を操作して指示することによって、強制的に、表示内容の表示方向を回転する回転処理を抑止させることができる。ユーザの意思によって、表示パネル２６ａに表示する表示内容の方向を回転させたくない場合は、回転抑止部２８を用いて、表示内容の表示方向を回転しないようにすることができる。
【００２６】
次に、図１の端末装置１００の表示動作について図２を用いて説明する。図２において、図２（ａ）が端末装置１００をユーザの腕に装着した状態を上から見た図であり、図２（ｂ）は、本発明の比較例であって、端末装置３００のＡ側を机２００に接触して置かれており、表示内容が表示パネル３２６ａに表示される表示向きが回転していない状態を示し、図２（ｃ）が端末装置１００のＡ側を机２００に接触して置かれており、表示内容が表示パネル２６ａに表示される表示向きが回転している状態を示している。なお図２（ａ）、（ｂ）、（ｃ）において、Ｘ軸、Ｙ軸、Ｚ軸は互いに直交し、且つＺ軸は鉛直（重力
方向）に沿い、Ｘ軸、Ｙ軸は水平方向に沿っている。ただしＺ軸の矢印の向きは鉛直と逆を向いている。端末装置１００は、表示パネル２６ａの表示内容の左側をＡ側、右側をＢ側、上側をＣ側とすると、図２（ｃ）のように、端末装置１００の表示パネル２６ａの表示内容のＣ側が、Ｚ軸の矢印の向きに対して回転した場合、回転検出部２３ｃがその回転の向き及びＺ軸に対する回転角度を検出する。表示内容回転処理部２５ａは、回転検出部２３ｃの検出した回転の向き及びＺ軸に対する回転角度に基づいて端末装置１００の表示パネル２６ａの表示内容のＣ側がＺ軸の矢印の向きに向くように、表示パネル２６ａの表
示内容を、表示パネル２６ａの上記回転の向きとは逆の向きで且つ上記回転角度分、回転せる。
【００２７】
＜表示回転処理＞
以下に、端末装置１００による表示回転処理について、図３を参照して詳細に説明する。
図３は、端末装置１００による表示回転処理に係る動作の一例を示すフローチャートである。
【００２８】
図３に示すように、装着情報検出部２３ａは、ユーザが端末装置１００を腕に装着しているかの装着情報（例えば、脈拍数や体温等）を検出する（ステップＳ１）。
【００２９】
次に、装着判定部２３ａは、ステップＳ１で検出した装着情報に基づいて当該端末装置１００がユーザの腕に装着されているか否かを判定する（ステップＳ２）。
【００３０】
ステップＳ２にて、当該端末装置１００が腕から外されていると判定されると（ステップＳ２；ＮＯ）、動き判定部２３ｂにて端末装置１００が動いているか否かを判定する（ステップＳ５）。
【００３１】
ステップＳ５で、端末装置１００が動いていないと判定されると（ステップＳ５；ＹＥＳ）、静止時間計測部２２にて、端末装置１００が腕からはずされて端末装置１００が静止状態である時間（静止時間）の計測を始める（ステップＳ６）。
【００３２】
そして、静止判定部２７ｃにより、静止時間計測部２２から得られた結果が所定時間以上であるか否かの判断を行う（ステップＳ７）。所定時間は、例えば、１０秒といったように予め設定できるようにしてもよい。ステップＳ７にて、静止時間が所定時間以上であるなら（ステップＳ７；ＹＥＳ）、当該端末装置１００は机２００の上に静止されているとして、端末装置１００が右または左のどちらに傾いているのかを回転検出部２３ｃから検出する（ステップＳ８）。
【００３３】
一方、ステップＳ７にて、静止時間が所定時間以上でないと判定された場合（ステップＳ７；ＮＯ）、表示内容を回転させないで、図２（ａ）のような標準画面を表示させ（ステップＳ３）、静止時間を計測するカウント値を０に初期化する（ステップＳ４）。その後、処理ステップＳ１に戻し、所定のタイミングで装着情報検出部２３ａから装着情報を検出する（ステップＳ１）。
【００３４】
ステップＳ８で端末装置１００の回転向き及び回転角度が検出されると、検出された回転向き及び回転角度に応じて、表示内容回転処理部２５ａにて表示内容の表示方向を回転させる（ステップＳ９）。例えば図２（ｃ）に示すように、端末装置１００のＡ側が机２００と接している場合、図２（ａ）のｙ軸方向からｘ軸方向に反時計回りに９０度回転したと判定して、時計表示が机２００の平面と垂直に表示されるように、時計表示をｙ軸方向からｘ軸方向に時計回りに９０度回転させる処理を行う。同様に、端末装置１００のＢ側を下にして机２００に置いたときも、ｙ軸方向からｘ軸方向に時計回りに９０度回転し
たと判定し、時計表示は机２００の平面と垂直に、ｙ軸方向からｘ軸方向に反時計回りに９０度回転して表示される。
【００３５】
一方、ステップＳ２で、端末装置１００を腕に装着していると判定されると（ステップＳ２；ＹＥＳ）、表示パネル２６ａに表示される表示内容の表示方向は回転させず、腕に装着しているときの図２（ａ）のような標準画面が表示される（ステップＳ３）。
【００３６】
ステップＳ３で、表示パネル２６ａ表示内容を標準表示した後、静止時間を計測するカウント値を０に初期化し（ステップＳ４）、処理ステップＳ１に戻し、所定のタイミングで装着情報検出部２３ａから装着情報を検出する（ステップＳ１）。
【００３７】
以上のように、本実施形態の端末装置１００によれば、端末装置１００がユーザの腕に装着されているか、静止状態であるかを判定し、当該端末装置１００がユーザの腕に装着されておらず、且つ静止していると判定された場合に、当該端末装置１００の回転向きを検知し、その回転向きに応じて表示内容の表示方向を回転して切り替えるので、より見や
すい状態で表示内容を表示することができる。
【００３８】
なお、端末装置１００の回転検出は静止時間をカウントする前に行っても良い。
ただし、端末装置１００は、ユーザに装着されているという動揺が伴う状況下であることが多いため、端末装置１００の回転動作に直ちに反応して表示内容の表示方向が頻繁に切り替わらないようにし、端末装置１００の回転後もあらかじめ定めた一定の時間以上にわたって回転後の姿勢状態を維持している場合に、はじめて、前述のような回転処理を行うようにする。
【００３９】
なお、本実施形態では、回転検出部２３ｃは、端末装置１００が右または左に９０度傾いているのか検出するが、９０度でなくても良く、その他の角度に応じて、表示パネル２６ａに表示する表示内容の表示向きを回転させても良い。
なお、表示内容の表示向きの回転処理の起動を強制的に抑止する回転抑止部をさらに備えていても良い。これにより、表示内容の回転を抑止することができる。
【００４０】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通り
である。
【００４１】
以下に、本願の出願当初の特許請求の範囲に記載された発明を付記する。
［付記１］
ユーザにより装着される装着型の端末装置であって、
表示内容を表示する表示部と、
当該端末装置の装着状態を検出する装着情報検出部と、
当該端末装置の動きを検出する動き検出部と、
当該端末装置の回転を検出する回転検出部と、
前記装着情報検出部による検出結果と前記動き検出部による検出結果に基づき、前記回転検出部により検出された回転に応じて前記表示部が表示する表示内容を回転させる表示内容回転処理部と、
を備えたことを特徴とする端末装置。
［付記２］
前記装着検出部から得られた検出結果に基づいて、前記端末装置をユーザが装着しているか否かを判定する装着判定部と、
前記動き検出部から得られた検出結果に基づいて、前記端末装置が所定時間以上静止しているか否かを判定する静止判定部と、を備え、
前記表示内容回転処理部は、前記装着判定部により前記型端末装置がユーザの腕に装着されておらず、かつ、前記静止判定部により前記端末装置が所定時間以上静止していると判定された場合に、前記回転検出部から検出された回転に応じて前記表示部に表示される表示内容を回転させる処理を実行することを特徴とする請求項１に記載の端末装置。
［付記３］
前記回転検出部は、鉛直と逆の向きに対する前記端末装置の表示部の回転の向き及び回転角度を検出し、
前記表示内容回転処理部は、前記表示内容を、前記回転の向きとは逆の向きに前記回転角度分、回転させることを特徴とする請求項１又は２に記載の端末装置。
［付記４］
前記表示内容回転処理部は、前記装着情報検出部により前記端末装置がユーザの腕に装着されていると判定された場合に、前記端末装置の表示内容を回転させないことを特徴とする請求項１ないし３に記載の端末装置。
［付記５］
前記表示内容回転処理部は、前記動き検出部により前記端末装置の動きが検出された場合に、前記表示部に表示される表示内容を回転させないことを特徴とする請求項１ないし４の何れかに記載のリスト型端末装置。
［付記６］
前記表示内容回転処理部は、前記静止判定手段により前記端末装置が所定時間以上静止していないと判定された場合に、前記表示部に表示される表示内容を回転させないことを特徴とする請求項１ないし５の何れかに記載のリスト型端末装置。
［付記７］
前記表示部に表示される表示内容の回転を強制的に抑止する回転抑止部をさらに備えていることを特徴とする請求項１ないし６の何れかに記載の端末装置。
［付記８］
表示内容を表示する表示部を備え、ユーザにより装着される装着型の端末装置における表示制御方法であって、
当該端末装置の装着状態を検出する装着情報検出処理と、
当該端末装置の動きを検出する動き検出処理と、
当該端末装置の回転を検出する回転検出処理と、
前記装着情報検出処理による検出結果と前記動き検出処理による検出結果に基づき、前記回転検処理により検出された回転に応じて前記表示部が表示する表示内容を回転させる表示内容回転処理と、
を含むことを特徴とする表示制御方法。
［付記９］
表示内容を表示する表示部を備え、ユーザにより装着される装着型の端末装置に用いられるコンピュータに、
当該端末装置の装着状態を検出する装着情報検出ステップと、
当該端末装置の動きを検出する動き検出ステップと、
当該端末装置の回転を検出する回転検出ステップと、
前記装着情報検出ステップによる検出結果と前記動き検出ステップによる検出結果に基づき、前記回転検出ステップにより検出された回転に応じて表示内容を回転させる表示内容回転処理ステップと、
を実行させることを特徴とするプログラム。
【符号の説明】
【００４２】
１００  端末装置
２２    静止時間計測部
２３ａ  着脱情報検出部
２３ｂ  動き検出部
２３ｃ  回転検出部
２５ａ  表示内容回転処理部
２６    表示部
２６ａ  表示パネル
２７ａ  着脱判定部
２７ｂ  動き判定部
２７ｃ  静止判定部
２８    回転抑止
【図１】
2020181600.tif 000003
【図２】
2020181600.tif 000004
【図３】
2020181600.tif 000005
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
ユーザが装着可能な端末装置であって、
前記端末装置がユーザに装着された状態か否かを検出する装着検出部と、
前記端末装置の回転を検出する回転検出部と、
を備え、
前記回転検出部は、
前記装着検出部により前記端末装置がユーザの腕に装着されていないと判定された場合に、前記端末装置の回転を検出し、
前記装着検出部により前記端末装置がユーザの腕に装着されていると判定された場合に、前記端末装置の回転検出を停止する、
ことを特徴とする端末装置。
【請求項２】
ユーザが装着可能な端末装置における回転検出方法であって、
前記端末装置がユーザに装着された状態か否かを検出する装着検出処理と、
前記端末装置の回転を検出する回転検出処理と、
を含み、
前記装着検出処理により前記端末装置がユーザの腕に装着されていないと判定された場合に、前記回転検出処理を実行し、
前記装着検出処理により前記端末装置がユーザの腕に装着されていると判定された場合に、前記回転検出処理を停止する、
ことを特徴とする回転検出方法。
【請求項３】
ユーザが装着可能な端末装置に用いられるコンピュータに、
前記端末装置の装着状態を検出する装着検出ステップと、
前記端末装置の回転を検出する回転検出ステップと、
を実行させ、
前記装着検出ステップにより前記端末装置がユーザの腕に装着されていないと判定された場合に、前記回転検出ステップを実行し、
前記装着検出ステップにより前記端末装置がユーザの腕に装着されていると判定された場合に、前記回転検出ステップを停止する、
ことを特徴とするプログラム。
【手続補正２】
【補正対象書類名】明細書
【補正対象項目名】０００６
【補正方法】変更
【補正の内容】
【０００６】
上記課題を解決するため、本発明にかかる端末装置は、ユーザが装着可能な端末装置であって、前記端末装置がユーザに装着された状態か否かを検出する装着検出部と、前記端末装置の回転を検出する回転検出部と、を備え、前記回転検出部は、前記装着検出部により前記端末装置がユーザの腕に装着されていないと判定された場合に、前記端末装置の回転を検出し、前記装着検出部により前記端末装置がユーザの腕に装着されていると判定された場合に、前記端末装置の回転検出を停止する、ことを特徴としている。
【手続補正４】
【補正対象書類名】明細書
【補正対象項目名】０００１
【補正方法】変更
【補正の内容】
【０００１】
本発明は、端末装置、回転検出方法及びプログラムに関する。